(57)【要約】【課題】水切り機能が確保でき、フランジ部の強度を高め、かつ美観に優れたキッチンカウンタを提供する。【解決手段】シンク３のフランジ部３１は、シンク３内側に降下した傾斜部３４を含む鍔片Ｆと、鍔片Ｆの外周端より床面に対し略垂直に延びる折返し片３２とがシンク本体に周設された形状とされ、接合部５は、開口部の内周縁に折返し片を対向させて、カウンタ２とシンク３との表面側を、隙間を介して略同いつ高さに整合させた状態に保持し、その状態で、それらの裏面側より硬質接着剤を注入することにより形成され、隙間に注入された硬質接着剤で形成された目地６を挟んで、カウンタ２とフランジ部３１の表面側を略面一に形成している。【選択図】図１
2008179998.tif 000002
【特許請求の範囲】
【請求項１】
カウンタに形成した開口部に、接合部を介してシンクのフランジ部を接合固着させてなるキッチンカウンタであって、
上記フランジ部は、上記シンク内側に降下した傾斜部を含む鍔片と、該鍔片の外周端より床面に対し略垂直に延びる折返し片とがシンク本体に周設された形状とされ、
上記接合部は、上記開口部の内周縁に上記折返し片を対向させて、上記カウンタと上記シンクとの表面側を、隙間を介して略同一高さに整合させた状態に保持し、その状態で、それらの裏面側より硬質接着剤を注入することにより形成され、上記隙間に注入した上記硬質接着剤で形成された目地を挟んで、上記カウンタと上記フランジ部の表面側を略面一に形成したことを特徴とするキッチンカウンタ。
【請求項２】
請求項１において、
上記フランジ部は、上記鍔片と上記折返し片との間にアール部が形成された形状とされ、
上記カウンタ上面と、上記目地面と、上記アール部上端とを略同一高さに形成したことを特徴とするキッチンカウンタ。
【請求項３】
カウンタに形成した開口部に、接合部を介してシンクのフランジ部を接合固着させてなるキッチンカウンタであって、
上記フランジ部は、上記シンク内側に降下した傾斜部を含む鍔片と、該鍔片の外周端より床面に対し略垂直に延びる折返し片とがシンク本体に周設された形状とされ、
上記接合部は、上記開口部の内周縁に上記折返し片を対向させて、上記カウンタと上記シンクとの表面側を、隙間を介して略同一高さに整合させた状態に保持し、その状態で、それらの裏面側より硬質接着剤を注入することにより形成され、上記隙間に注入した上記硬質接着剤で形成された目地の表面を、上記フランジ部の傾斜部の表面と略面一になるように形成したことを特徴とするキッチンカウンタ。
【請求項４】
請求項１〜３のいずれか１項において、
上記カウンタは、人造大理石で構成されていることを特徴とするキッチンカウンタ。
【発明の詳細な説明】
【技術分野】
【０００１】
本発明は、カウンタに形成した開口部にシンクを固着させて形成されるキッチンカウンタに関するものである。
【背景技術】
【０００２】
従来のキッチンカウンタには、水切り機能を高めるために、シンク開口部の開口端縁をシンク内側に降下させた傾斜形状のものがある（例えば、特許文献１参照）。
【０００３】
同文献のものは、開口端縁を下り勾配に傾斜成形させたカウンタ開口部の裏側にシンクのフランジ部をあてがって、カウンタの裏側で両者を固定した構造となっている。また、開口端縁を傾斜させることで、人造大理石カウンタの傾斜面先端部の肉厚が薄くなり衝撃に対し脆弱となることを考慮して、傾斜面先端部を少し切り取って、その空間に衝撃耐久性に優れた樹脂を充填することを提案している。
【特許文献１】特開２００１−２４１０８０号公報  図２等
【発明の開示】
【発明が解決しようとする課題】
【０００４】
しかしながら、上記従来のものでは、傾斜面のうち比較的広い部分に樹脂面が表れるため、見た目はよくない。また、フランジ部をカウンタ裏側に隙間なく当接させるためにフランジ部を水平に形成しているが、水平に形成しているため強度は低く保形性はすぐれていない。特に、取付作業時などシンクを取り扱う際に接触によりフランジ部が変形する可能性が高い。
【０００５】
本発明は、このような事情を考慮して提案されたもので、その目的は、水切り機能が確保でき、フランジ部の強度を高め、かつ美観に優れたキッチンカウンタを提供することにある。
【課題を解決するための手段】
【０００６】
上記目的を達成するために、請求項１に記載のキッチンカウンタは、カウンタに形成した開口部に、接合部を介してシンクのフランジ部を接合固着させてなるキッチンカウンタであって、フランジ部は、シンク内側に降下した傾斜部を含む鍔片と、鍔片の外周端より床面に対し略垂直に延びる折返し片とがシンク本体に周設された形状とされ、接合部は、開口部の内周縁に折返し片を対向させて、カウンタとシンクとの表面側を、隙間を介して略同一高さに整合させた状態に保持し、その状態で、それらの裏面側より硬質接着剤を注入することにより形成され、隙間に注入された硬質接着剤で形成された目地を挟んで、カウンタとシンクの表面側を略面一に形成したことを特徴とする。
【０００７】
請求項２に記載のキッチンカウンタは、フランジ部は、鍔片と折返し片との間にアール部を設けた形状とされ、カウンタ上面と、目地面と、アール部上端とを略同一高さに形成したことを特徴とする。
【０００８】
請求項３に記載のキッチンカウンタは、カウンタに形成した開口部に、接合部を介してシンクのフランジ部を接合固着させてなるキッチンカウンタであって、フランジ部は、シンク内側に降下した傾斜部を含む鍔片と、該鍔片の外周端より床面に対し略垂直に延びる折返し片とがシンク本体に周設された形状とされ、接合部は、開口部の内周縁に折返し片を対向させて、カウンタとシンクとの表面側を、隙間を介して略同一高さに整合させた状態に保持し、その状態で、それらの裏面側より硬質接着剤を注入することにより形成され、隙間に注入した硬質接着剤で形成された目地の表面を、フランジ部の傾斜部の表面と略面一になるように形成したことを特徴とする。
【０００９】
請求項４に記載のキッチンカウンタは、カウンタが人造大理石で構成されていることを特徴とする。
【発明の効果】
【００１０】
本発明のキッチンカウンタによれば、フランジ部が内側に降下した傾斜部を備えているため、折返し片の作用ともあいまってフランジ部を衝撃に強い構造とすることができる。特に、取付作業時などシンクを取り扱う際には、突出したフランジ部は他の物と接触しやすいが、傾斜形状によって強度を持たせているため、接触による損傷、変形のおそれはほとんどない。
【００１１】
また、シンクのフランジ部に折返し片を設け、その折返し片と開口部の内周縁とを対向させ表面を目地を挟んで略面一となるように固着しているため、ほぼフラットとなった接合部表面と、表面に表れた傾斜部とにより、水切り機能も充実する。傾斜部がシンクの一部であるフランジ部で形成されているため、金属製の傾斜面が表面に表れて、美観にも優れたものとなる。
【００１２】
さらに、カウンタ上面と目地面とアール部上端とを略同一高さにしたものでは、表面の接合部周辺がほとんど段差のない状態に形成でき、水はけがさらによく、美観もきわめてよい。
【００１３】
また、目地の表面をフランジ部の傾斜部に合わせて略面一としたものでは、目地がシンク内側に降下した形状となるため、目地周辺からの水はシンクの内側に流れ込みやすく、水はけはきわめてよい。
【発明を実施するための最良の形態】
【００１４】
以下に、本発明の実施の形態について、添付図面とともに説明する。
【００１５】
図２は、本発明の一例であるキッチンカウンタの外観斜視図である。
【００１６】
キッチンカウンタ１は、人造大理石製のカウンタ（天板）２と、カウンタ２に形成された開口部２１に合致させて固着された金属製のシンク３とより形成されている。
【００１７】
カウンタ２は、樹脂などの非金属製あるいは金属製のいずれでもよいが、美観を出すために人造あるいは天然大理石製とすることが望ましい。また、カウンタ２の手前側の前縁は垂下し、前垂れ部２ｂが形成され、後端は立ち上がり、起立部２ａが形成されている。
【００１８】
また、シンク３は絞り加工により形成され、カウンタ２の開口部２１と接合するためのフランジ部３１が全周囲にわたって周設され、凹部には排水口３ａ、後端には洗剤等載置台３ｂを備えている。
【００１９】
カウンタ表面には、開口部２１に取り付けられたシンク３と、カウンタ２との接合部５（図１参照）の一部がシンク３の全周に目地６として表れている。この接合部５による目地６は、開口部２１の内周縁２３（図１参照）と、シンク３本体の全周に外方に向けて延設されたフランジ部３１とを固着させるようにした後述する硬質の接着剤が硬化して形成された接合部５の一部をなすものである。
【００２０】
図３（ａ）はカウンタ２との接合部を含むシンク３の平面図、（ｂ）はＸ−Ｘ線の同縦断面図である。
【００２１】
シンク３のフランジ部３１は、シンク３の全周にわたり形成され、カウンタ２の開口部２１に、全周にわたって目地６を介して装着、接合されている。図３（ｂ）に示すように、カウンタ２とシンク３との接合部表面は面一に形成されている。
【００２２】
図１は、図３（ｂ）の接合周辺部Ａを拡大した縦断面図で、本発明の要部構造を示している。
【００２３】
フランジ部３１は、図１に示すように、シンク３の開口より外側に周設された鍔片Ｆと、この鍔片Ｆより床面に対し略垂直に延設された折返し片３２とを備えている。この鍔片Ｆは、内方に降下する傾斜部３４と、その傾斜部３４よりも外方に位置する水平部３３とよりなる。また折返し片３２には、全周にわたる適所に貫通孔３５が設けられている。なお、水平部３３を設けずに、鍔片Ｆ全体を傾斜させた形状としてもよい。
【００２４】
フランジ部３１は、鍔片Ｆに傾斜部３４を備えているため、外力に強い構造となっており、さらに折返し片３２を設けたことで、さらに強度を向上させ、フランジ部３１が波打ったり歪んだりすることがなく、安定した形状を保持できる。特に、取付作業時などシンク３を取り扱う際には、水平方向に突出したフランジ部３は他の物と接触しやすいが、傾斜形状により強度を持たせているため、接触による損傷、変形の発生を軽減できる。
【００２５】
また、フランジ部３１の鍔片Ｆ全体が水平に形成されていると、鍔片Ｆの内側辺が上方に盛り上がるように変形した場合には見映えと水の流れがきわめて悪くなるが、シンク３の内側に向けて下り勾配の傾斜部３４を有しているため、少し変形したとしても、そのようなおそれはほとんどない。
【００２６】
また、折返し片３２の折曲部はアール状に形成され、そのアール部Ｒ上端（水平部３３の高さ位置）とカウンタ上面とがほぼ同一高さになるように、フランジ部３１の折返し片３２とカウンタ開口部２１の内周縁２３とが対向されて、裏側から充填された硬質接着剤で、カウンタ２とシンク３とが固着されている。
【００２７】
カウンタ２へのシンク３の取付は、両者を裏返し、それらの接合部５の表面側が隙間を介して面一となるように整合したうえで、裏側より硬質接着剤を注入することによってなされる。
【００２８】
硬質接着剤は、エポキシ、ウレタン系の樹脂などからなる主剤に硬化剤を混合して液状に生成されて、所定時間経過後に常温で硬化するものを使用する。１種の接着剤を使用してもよいが、表面側層（第１接合層）、裏面側層（第２接合層）として２種のものを使用することが望ましい。先に注入して表面の目地６として表れる第１接合層剤は美観にすぐれ、変色せず、接着力が高く、かつ隙間に注入できる程度の低粘度のものが望まれる。第２接合層剤は接着性が高いものが望まれるが、従来使用される低価格のものでよい。また、第１、第２接合層剤は、硬化時に一体的に固化するような成分としている。なお、図１では硬化後の状態を模式的に示しているが、両接合剤によって図示するような均一な界面が形成されるものではない。
【００２９】
第１接合層剤は、カウンタ２に使用する人造大理石、ステンレス製シンク３のいずれかの色、柄に合わせて着色剤（顔料、染料）、柄材などを配合させてもよい。そうすれば、表面に表れる目地６はほとんど目立たず、目地６によって美観が損なわれるおそれはほとんどない。柄材としては例えば、人造大理石で使用するベンガラ色、黒色などの平均粒径５〜５０μｍ程度の粒状物が使用できる。
【００３０】
第１接合層剤の充填は、隙間を挟んでカウンタ２と鍔片Ｆの表面側にシリコンゴム冶具（不図示）をあてがった状態で、裏側より行う。そのシリコンゴム冶具は、カウンタ２上面とアール部Ｒの上端とを結ぶ位置まで樹脂が注入されて、カウンタ２と鍔片Ｆの水平部３３が目地６を挟んで面一となるようなフラットな形状となっている。
【００３１】
注入された第１接合層剤は、開口部２１の内周縁端面２３と折返し片３２との間に形成された隙間にも注入、充填され、貫通孔３５の中にも充填されてゆき、第１接合層５１を形成して、表面側がほぼ面一となるように目地６が形成される。なお、面一の程度は、図１に示すような完全にフラットなものが望まれるが、１ｍｍ前後の段差があってもよい。
【００３２】
第２接合層剤は、第１接合層剤の硬化を待たず注入され、カウンタ２の開口部端縁部２２の下面に強固に固着させた桟木４の位置まで充填されて、第２接合層５２を形成する。
【００３３】
この桟木４は開口部端縁部２２の裏側の略全周にわたって設けられ、硬質接着剤と強固に接着する。また桟木４は、接着剤注入時の堰の機能も有し、注入した液状の接着剤が流れ出ることも防止している。
【００３４】
こうして、第１、第２の硬質接着剤を順次注入して充填し、硬化させることで、カウンタ２とシンク３とを強固に連結させる２層の接合層５１、５２よりなる接合部５が形成され、この接合部５の表面では、カウンタ２、硬質接着剤によって形成された目地６、フランジ部３１の水平部３３がほぼ面一状態に形成される。
【００３５】
このように、カウンタ表面の接合周辺部が目地６を挟んでほとんど段差なくフラットに形成されるため、掃除がきわめてしやすく、目地６周辺を清潔な状態に保持することができる。また、目地６が表面に表れているため、汚れをすぐに視認することができる。また、カウンタ２、目地６、鍔片Ｆを段差なく形成することで、キッチンカウンタに一体感が生まれ、美観も向上する。
【００３６】
さらに、フランジ部３１の鍔片Ｆが、傾斜部３４によって内側に降下した状態に形成されているため、フラットに形成された目地６周辺からの水はシンク３の内側に流れ込みやすく、水はけはきわめてよい。また、目地６が硬質接着剤で製されているため、カビが発生しても中まで浸透することがなく、簡単に取り除くことができる。
【００３７】
また、シンク３のフランジ部３１が折返し片３２を備えているため、接着剤は折返し片３２に絡み、固着性の高い接合を実現できる。さらに、折返し片３２に設けた貫通孔３５にも入り込んで固化することでアンカー効果があり、固着を強固にする。
【００３８】
また上述したように、この折返し片３２によってシンク３の形状は安定するため、カウンタ２の開口部２１との間に形成される目地６を均一間隔に形成することができ、そのためキッチンカウンタ１を美観にすぐれた形状にすることができる。
【００３９】
なお、フランジ部３１に設けた折返し片３２は、その下端を外方に、水平あるいはテーパ状に折曲形成させてもよい。そうすることによって、その下端部をカウンタ２の下面側にもぐりこませ、硬質接着剤を十分に絡ませて接着性を高めることができる。
【００４０】
また、カウンタ２の材料としてメラミン化粧板を使用してもよい。開口部２１の内周縁２３と折返し片３２とを対向させて接着させる構造であるため、メラミン化粧板の木口を隠すことができ都合がよい。また、化粧板の木口によって接着力も強化できる。
【００４１】
図４は、本発明の他例であるキッチンカウンタの要部縦断面図である。
【００４２】
この例は、シンク３をカウンタに対し、１ｍｍ程度低く対向させもので、フランジ部３１の鍔片Ｆには水平部を形成させず、鍔片Ｆの全体を傾斜形状とし、カウンタ２と折返し片３２との間に硬質接着剤５を注入して形成された目地６の表面も傾斜部３４と同様の角度で傾斜させて、目地６面と鍔片Ｆの傾斜部３４の傾斜面とを略面一に形成したものである。なお、鍔片Ｆには図１に示すような水平部３３を設けてもよい。図４中の他の各部は図１のものと同様であるため、同一の符号を付して、説明を省略する。
【００４３】
このものは、目地６と傾斜部３４とによって内側に降下した状態に形成されているため、図１の例と同様に、フラットに形成された目地６周辺からの水はシンク３の内側に流れ込みやすく、水はけはきわめてよい。
【図面の簡単な説明】
【００４４】
【図１】本発明の一例であるキッチンカウンタの要部縦断面図である。
【図２】同キッチンカウンタの外観斜視図である。
【図３】（ａ）はカウンタとの接合部を含むシンクの平面図、（ｂ）は同縦断面図である。
【図４】本発明の他例であるキッチンカウンタの要部縦断面図である。
【符号の説明】
【００４５】
１      キッチンカウンタ
２      カウンタ
２１      開口部
２２      開口部端縁部
２３      開口部内周縁
３      シンク
３１      フランジ部
３２      折返し片
Ｆ      鍔片
３３      水平部
３４      傾斜部
Ｒ      アール部
４      桟木
５      接合部
５１      第１接合層
５２      第２接合層
６      目地
【図１】
2008179998.tif 000003
【図２】
2008179998.tif 000004
【図３】
2008179998.tif 000005
【図４】
2008179998.tif 000006